(57)【要約】【課題】延伸後の把持具の開放によるフィルムのシワ、切断を防止する【解決手段】レール１１，１２のテンター出口１７付近に、クリップ１５のフィルム把持を開放する出口部開放部材５３，５４を設ける。シフト部６８により、出口部開放部材５３，５４の位置をレール１１，１２に沿って変位可能にする。延伸倍率の変更に伴い、レール１１，１２の幅が変更されたときに、シフト部６８により、出口部開放部材５３，５４の位置を、フィルム搬送方向Ａ１の同位置になるように、レール１１，１２に沿って移動させる。延伸倍率が変更になっても、常にフィルム搬送方向Ａ１の同位置で左右のクリップ１５が開放される。剛性が小さい薄膜フィルムの延伸に際して、シワの発生及び切断が抑制される。【選択図】　　　　　　　　図７
2004106423.tif 000002
【特許請求の範囲】
【請求項１】
第１レール及び第２レールに沿って、開閉自在な把持具により両側縁部が把持されたシート状物を搬送して延伸するテンター装置において、前記シート状物の出口に設けられ、前記把持具を開放する把持具開放部材と、前記第１レール及び第２レールによるシート状物の入口の幅と出口の幅とを変更して延伸倍率を変更する延伸倍率変更手段と、
この延伸倍率変更手段により延伸倍率を変更させたときに前記把持具開放部材を前記第１レール及び第２レールに沿って変位させる開放部材位置調整手段とを備えたことを特徴とするテンター装置。
【請求項２】
前記開放部材位置調整手段は、前記シート状物の搬送方向の同位置に配置されるように、前記把持具開放部材を変位させることを特徴とする請求項１記載のテンター装置。
【請求項３】
前記第１レール及び第２レールを直線部と円弧状に湾曲する屈曲部とから構成し、前記シート状物の側辺に対して配向軸が傾斜するようにしたことを特徴とする請求項２記載のテンター装置。
【請求項４】
前記傾斜するようにした配向軸が４５°±５°の角度であることを特徴とする請求項３記載のテンター装置。
【発明の詳細な説明】
【０００１】
【発明の属する技術分野】
本発明はテンター装置に関し、特に、側辺に対して配向軸を傾斜させたフィルム等のシート状物を任意の延伸倍率で製造するテンター装置に関するものである。
【０００２】
【従来の技術】
【特許文献１】
特開２０００−９９１２号公報
【特許文献２】
特開平３−１８２７０１号公報
【０００３】
近年、液晶表示装置の普及に伴い偏光板の需要が急増している。このため、搬送方向に対して配向軸を傾斜させたフィルム等のシート状物（偏光膜）を製造するテンター装置が、例えば特許文献１及び２などで提案されている。これらのテンター装置では、左右を異なる速度で走行する把持具によってフイルムを把持し、搬送することによって、搬送方向に対して傾斜角度をつけた方向にフイルムを延伸している。このようなテンター装置では、前もって机上で計算されパターン化固定された延伸倍率でしか延伸することができないため、製品の裁断歩留まりの向上が図れない。
【０００４】
これに対して、本出願人は、特願２００２−８０２１にて、任意の延伸倍率で任意の配向軸が得られるテンター装置を提案している。このテンター装置では、左右のガイドレールに沿って同一速度で走行するクリップにより、フィルムの側縁部を把持させて移動させながら予熱し、幅方向に延伸させている。ところで、偏光板用の偏光フィルムは軽量化などの要請により薄いフィルムが要求されており、これに伴いフィルム剛性が小さいフィルムの横延伸が必要になってきている。上記特願２００２−８０２１のテンター装置では、フィルムの搬送方向に直交する方向で、クリップの把持を開放する位置が左右でずれてしまい、片方のみのクリップが開放されると、フィルムの幅方向にシワが発生したり、切断されてしまうことがあった。
【０００５】
これに対して、本出願人は、特願２００２−１６６１３５にて、出口の位置をこの出口におけるフィルムの搬送方向に直交する方向で変位させる出口位置調整手段を設けたテンター装置を提案している。このテンター装置では、任意の延伸倍率で、任意の配向軸を得る場合においても、フィルムの搬送方向に直交する方向で、クリップの把持を開放する位置が左右でずれないようにされ、フィルムの幅方向でのシワの発生や切断が抑制される。
【０００６】
【発明が解決しようとする課題】
しかしながら、上記特願２００２−１６６１３５のテンター装置では、出口の位置をこの出口におけるフィルムの搬送方向に直交する方向で変位させる出口位置調整手段が必要となる。この出口位置調整手段は、大掛かりな装置構成となることがある。したがって、装置の小型化が望まれていた。
【０００７】
本発明は上記課題を解決するためのものであり、簡単な装置構成で、延伸後の把持具の開放によるフィルムの幅方向のシワの発生、切断を防止することができ、しかも、側辺に対して配向軸を傾斜させたフイルム等のシート状物を任意の延伸倍率及び任意の配向角度で製造することができるようにしたテンター装置を提供することを目的とする。
【０００８】
【課題を解決するための手段】
上記目的を達成するために、本発明のテンター装置は、第１レール及び第２レールに沿って、開閉自在な把持具により両側縁部が把持されたシート状物を搬送して延伸するテンター装置において、前記シート状物の出口に設けられ、前記把持具を開放する把持具開放部材と、前記第１レール及び第２レールによるシート状物の入口の幅と出口の幅とを変更して延伸倍率を変更する延伸倍率変更手段と、この延伸倍率変更手段により延伸倍率を変更させたときに前記把持具開放部材を前記第１レール及び第２レールに沿って変位させる開放部材位置調整手段とを備えたことを特徴とする。なお、前記開放部材位置調整手段は、前記シート状物の搬送方向の同位置に配置されるように、前記把持具開放部材を変位させることが好ましい。また、前記第１レール及び第２レールを直線部と円弧状に湾曲する屈曲部とから構成し、前記シート状物の側辺に対して配向軸が傾斜するようすることが好ましい。さらに、前記傾斜するようにした配向軸が４５°±５°の角度であることが好ましい。
【０００９】
【発明の実施の形態】
図１は、本発明を実施したＰＶＡフィルム延伸機２を示す概略の平面図である。ＰＶＡフィルム延伸機２は、処理装置３とテンター装置４とから構成される。処理装置３には、ＰＶＡ（ポリビニルアルコール）フィルム６の搬送方向上流側（図中左側）から順に、洗浄槽７、染色槽８、硬膜槽９が設けられている。洗浄槽７には洗浄液が、染色槽８には沃素等の染色剤の水溶液が、硬膜槽９には硼酸等の硬膜剤の水溶液が所定量貯留されており、入口１０から挿入され、図示しない搬送機構により各槽７〜９を搬送されるＰＶＡフィルム６を洗浄、染色、硬膜処理する。各槽７〜９で処理されたＰＶＡフィルム６は、湿潤な状態でテンター装置４に搬送される。なお、処理装置３を洗浄槽７、染色槽８、硬膜処理槽９の３槽によって構成したが、必要に応じて着色槽等の新たな槽を追加してもよい。また、染色槽、硬膜槽を１槽に統合すること等により槽数を減らすことも可能である。
【００１０】
図２に示すように、テンター装置４は、右レール１１と、左レール１２と、これらレール１１，１２に案内される無端チェーン（エンドレスチェーン）１３，１４と、各位置決め部２１〜２８と、チェーン駆動部２９とから構成されている。このテンター装置４はテンター入口１６側から順に、予熱部４ａ、延伸部４ｂ、熱処理部４ｃの各エリアに分けられている。予熱部４ａ、延伸部４ｂはＰＶＡフィルム６を延伸しやすくするために高温、高湿に保たれている。
【００１１】
無端チェーン１３，１４には、把持具としてのクリップ１５が所定ピッチで多数取り付けられている。このクリップ１５はＰＶＡフィルム６の側縁部を把持しながら、各レール１１，１２に沿って移動することで、ＰＶＡフィルム６を延伸する。
【００１２】
無端チェーン１３，１４は原動スプロケット３１，３２及び従動スプロケット３３，３４との間に掛け渡されており、これらスプロケット３１〜３４の間では、無端チェーン１３は右レール１１によって、無端チェーン１４は左レール１２によって案内される。原動スプロケット３１，３２はテンター入口１６側に設けられており、これらはモータ３６及びギヤ列３７により回転駆動される。また、従動スプロケット３３，３４はテンター出口１７側に設けられている。
【００１３】
図２に示すように、右レール１１は、入口レール部１１ａと、出口レール部１１ｂと、レール連結部１１ｃとから構成されている。同様にして、左レール１２も入口レール部１２ａと、出口レール部１２ｂと、レール連結部１２ｃとから構成されている。そして、これら各レール部１１ａ〜１１ｃ、１２ａ〜１２ｃはレール取付部４３によって、それぞれ位置決め部２１〜２８に接続されている。位置決め部２１〜２８は、各レール取付部４３を移動させて、左右のレール及びレール連結部のフィルム幅方向における距離を変更する。
【００１４】
図３に示すように、クリップ１５は、略コ字形状のフレーム４１、フラッパ４２、レール取付部４３から構成されている。フラッパ４２は、取付軸４１ａによりフレーム４１に回動自在に取り付けられている。レール取付部４３には、右チェーン１３または左チェーン１４が取り付けられる。図３は把持開始直前の状態を、図４は把持直後の状態をそれぞれ示している。フラッパ４２は鉛直状態となるフィルム把持位置（閉位置）と、入口部開放部材５１，５２及び出口部開放部材５３，５４に係合頭部４２ａが接触して斜めに回転した状態となる開放位置との間で変位し、通常は自重によりフィルム把持位置となるように付勢されている。フィルム把持位置ＰＡでは、フィルム把持面４１ｂとフラッパ下面４２ｂとによりＰＶＡフィルム６が把持される。搬送ローラ４６は、図示しないモータにより回転駆動され、フィルム搬送方向Ａ１に沿ってＰＶＡフィルム６をフィルム把持位置ＰＡに搬送する。
【００１５】
レール取付部４３は、取付フレーム５５と、ガイドローラ５６，５７，５８とから構成されている。取付フレーム５５には、右チェーン１３または左チェーン１４が取り付けられる。ガイドローラ５６〜５８は、図３に示すように原動スプロケット３１，３２の各支持面に接触するか、図４に示すように右レール１１または左レール１２の支持面に接触するかして、回転する。これにより、各スプロケット３１，３２や各レール１１，１２からクリップ１５が脱落することなく、各レール１１，１２に沿って案内される。
【００１６】
図２及び図３に示すように、テンター入口１６には、クリップ１５を開放位置に変位させる入口部開放部材５１が右レール１１に、入口部開放部材５２が左レール１２にそれぞれ取り付けられている。テンター出口１７には、クリップ１５を開放位置に変位させる出口部開放部材５３が右レール１１に、出口部開放部材５４が左レール１２にそれぞれ取り付けられている。図５に示すように、各開放部材５１〜５４は、クリップ１５の係合頭部４２ａを案内するテーパ部５１ａ〜５４ａと、クリップ１５の把持を開放する開放部５１ｂ〜５４ｂとから構成される。出口部開放部材５３，５４は、シフト部６８によりレール１１，１２に沿って移動自在に取り付けられている。
【００１７】
入口部開放部材５１，５２は、フィルム把持位置ＰＡの前で、クリップ１５の係合頭部４２ａに接触してこれを開放状態にし、ＰＶＡフィルム６の側縁部の受け入れを可能にする。そして、フィルム把持位置ＰＡを通過するときに前記係合頭部４２ａが入口部開放部材５１，５２から離れ、クリップ１５が開放位置から把持位置にセットされて、ＰＶＡフィルム６の側縁部が把持される。図５に示すように、出口部開放部材５３，５４は、フィルム把持解除位置ＰＣでクリップ１５を開放位置にし、ＰＶＡフィルム６の側縁部の把持を開放する。各開放部材５１〜５４は、係合頭部４２ａとの接触抵抗を小さく抑えるために、樹脂製のものが好ましく用いられる。樹脂としては、ナイロン、デルリン等が用いられる。
【００１８】
図２に示すように、位置決め部２１は、雌ねじ部を有する取付ブロック６０と、前記雌ねじ部に螺合するリードネジ棒６１と、このリードネジ棒６１を回転させる位置決めモータ６２とから構成されている。位置決めモータ６２はドライバを介してコントローラ６５により回転制御される。なお、他の位置決め部２２〜２８も位置決め部２１と同様に、取付ブロック（図示省略）、リードネジ棒６１、位置決めモータ６２を含んで構成されている。
【００１９】
図２に示すように、コントローラ６５にはキーボード等のデータ入力部６６が設けられており、テンター入口幅Ｗ１や出口幅Ｗ２などの設定値が入力が可能になっている。また、コントローラ６５内には延伸パターンの演算式が予めプログラミングされており、これがメモリ６７内に格納されている。コントローラ６５は、テンター入口幅Ｗ１及び出口幅Ｗ２の設定値が入力されると、この設定値に基づき演算式から、各チェーンの周長及び位置を求め、求めた位置になるように、各位置決めモータ６２を回転駆動して、各レール取付部４３を変位させる。このとき、レール１１，１２に取り付けられた出口部開放部材５３，５４も変位される。
【００２０】
すなわち、自動的に位置決めモータ６２を回転駆動して、周長を変化させることにより、フィルム把持位置ＰＡから熱処理部４ｃの入口位置ＰＢまでの長さＬ１，Ｌ２を変化させて、αが４５°±５°となるようなレールパターンを設定することができ、延伸倍率に関係なく、α＝４５°±５°のＰＶＡフィルム６を得ることができる。
【００２１】
図６に示すように、出口部開放部材５３，５４は、出口部開放部材５３，５４を変位させる駆動機構としてのシフト部６８を介して、コントローラ６５により変位制御される。コントローラ６５のメモリ６７内には、出口部開放部材５３，５４がフィルム搬送方向Ａ１の同位置に配置されるような配置パターンデータが記憶されている。この配置パターンデータは、レール取付部４３の変位量毎に求められており、レール取付部４３の変位量は、テンター入口幅Ｗ１及び出口幅Ｗ２の設定値の入力に基づいて求められる。テンター入口幅Ｗ１及び出口幅Ｗ２の設定値の入力に基づき、コントローラ６５は、図６に２点鎖線で示すように、各レール取付部４３を変位させる。この時、出口部開放部材５３，５４は、フィルム搬送方向Ａ１の距離Ｌずれた位置に配置される。そのため、コントローラ６５は、メモリ６７内に記憶された配置パターンデータに基づき、シフト部６８を介して、フィルム搬送方向Ａ１の同位置に配置されるように、出口部開放部材５３，５４を変位させる。なお、フィルム搬送方向Ａ１の同位置とは、出口部開放部材５３，５４を結ぶ直線が、フィルム搬送方向Ａ１と直交する位置にあることを示す。
【００２２】
次に、本実施形態の作用を説明する。まず、キーボード等のデータ入力部６６からテンター入口幅Ｗ１と、出口幅Ｗ２とを入力する。これらデータが入力されると、コントローラ６５は演算式を用いて、各位置決め部２１〜２８の位置を決定し、各位置決め部２１〜２８の位置決めモータ５２を回転制御して、決定した位置になるように各レール取付部４３を変位させ、図６に２点鎖線で示すように、レール１１，１２のフィルム幅方向における距離を変更する。この時、出口部開放部材５３，５４は、フィルム搬送方向Ａ１の距離Ｌずれた位置に配置される。図７は、レール１１，１２のフィルム幅方向における距離を変更した後の図である。図７に２点鎖線で示すように、コントローラ６５は、レール取付部４３の変位量に応じて、メモリ６７内に記憶された配置パターンデータに基づき、シフト部６８を介して、フィルム搬送方向Ａ１の同位置に配置されるように、出口部開放部材５３，５４を変位させる。本実施例では、出口部開放部材５３を、上流側（図中左側）に距離Ｌ移動させる。この後に、入口１０から挿入され、洗浄槽７、染色槽８、硬膜槽９を搬送されて洗浄、染色、硬膜処理されたＰＶＡフィルム６は、テンター装置４に搬送される。
【００２３】
テンター装置４に搬送されたＰＶＡフィルム６は、搬送ローラ４６によりフィルム把持位置ＰＡに搬送される。なお、テンター入口１６にＰＶＡフィルム６に幅方向への張力を与えるニップローラ対を、フィルム把持位置ＰＡ直前にＰＶＡフィルム６の上方向への変形を抑える上ガイドローラをそれぞれ設けてもよい。また、テンター入口１６からフィルム把持位置ＰＡの範囲に、ＰＶＡフィルム６の両側縁部を案内する左右のフィルムガイドを設けてもよい。
【００２４】
クリップ１５は、テンター入口１６では入口部開放部材５１，５２により開放状態になっており、ＰＶＡフィルム６がフィルム把持位置ＰＡでクリップ１５内に入ると、クリップ１５が閉じられて、ＰＶＡフィルム６が把持される。クリップ１５は各チェーン１３，１４の回動により、レール１１，１２に沿って移動する。これにより、ＰＶＡフィルム６は延伸されて、側縁に対して配向軸が４５°±５°の角度で傾斜したフイルム１５が製造される。このように、延伸倍率（Ｗ２／Ｗ１）に応じて配向軸の角度が４５°±５°のフィルムを簡単に製造することができる。
【００２５】
延伸されたＰＶＡフィルム６は、フィルム把持解除位置ＰＣで出口部開放部材５３，５４によりクリップ１５の把持が開放され、テンター出口１７から排出される。出口部開放部材５３，５４は、入力されるテンター入口幅Ｗ１、出口幅Ｗ２のどのような入力値においても、フィルム搬送方向Ａ１で同位置に配置され、それに応じてフィルム把持解除位置ＰＣもレール１１，１２においてフィルム搬送方向Ａ１で同位置になるから、片側のみクリップ１５の把持が開放されてしまうことがなくなり、フィルムの幅方向にシワが発生したり、切断されてしまうことがなくなる。
【００２６】
テンター出口１７から排出されたＰＶＡフィルム６は、４５°延伸によって延伸軸が４５°傾いており、偏光膜として最適なものとなる。この偏光膜にＴＡＣ（トリアセチルセルロース）フィルムを貼り合わせることにより、偏光板が製造される。
【００２７】
なお、上記実施形態では、出口部開放部材５３，５４をレール１１，１２に取り付け、レール取付部４３のフィルム幅方向の変位により出口部開放部材５３，５４をフィルム幅方向に変位させ、その後でシフト部６８にて出口部開放部材５３，５４をフィルム搬送方向Ａ１に変位させ、フィルム搬送方向Ａ１で同位置になるように配置させたが、出口部開放部材５３，５４を独立した状態で取り付け、シフト部６８にてフィルム幅方向及びフィルム搬送方向Ａ１に変位させてもよい。
【００２８】
また、上記実施形態では、両方のレール１１，１２に出口部開放部材５３，５４を設けたが、一方のレールを固定し、他方のレールを変位させる方式に本発明を実施してもよい。この場合には、変位させるレールに設けた出口部開放部材のみ変位させる。また、両方のレール１１，１２を変位させる方式においても、一方のレールには出口部開放部材を固定し、他方のレールにのみ変位する出口部開放部材を設けて、フィルム搬送方向Ａ１の同位置でクリップ１５を開放するようにしてもよい。
【００２９】
さらに、上記実施形態では、自重落下方式のクリップを用いたが、この他に、バネ付勢により開閉するクリップや、その他の各種駆動手段を有するクリップを用いてもよい。
【００３０】
テンター装置４の出口１８でＰＶＡフィルム６の左右に進行速度差があると、出口１８におけるシワ、寄りが発生するため、左右のクリップ３５の速度差は、実質的に同速度であることが求められる。速度差は好ましくは１％以下であり、さらに好ましくは０．５％未満であり、最も好ましくは０．０５％未満である。ここで述べる速度とは、毎分当たりに左右各々のクリップ３５が進む軌跡の長さのことである。一般的なテンター装置等では、チェーンを駆動するスプロケットの歯の周期、駆動モータの周波数等に応じ、秒以下のオーダーで発生する速度ムラがあり、しばしば数％のムラを生ずるが、これらは本発明で述べる速度差には該当しない。
【００３１】
本発明を実施したＰＶＡフィルム延伸機２により延伸することによって、ＰＶＡフィルム６は優れた偏光能を有する偏光膜として利用することができる。得られた偏光膜としてのＰＶＡフィルム６の両面又は片面に保護膜（保護フィルム）を接着剤層を介して設けることにより、偏光板が得られる。得られた偏光板は、優れた単板透過率及び偏光度を有する。したがって、液晶表示装置として用いる場合に、画像のコントラストを高めることができ、有利である。
【００３２】
なお、ポリビニルアルコールのケン化度は特に限定されないが、溶解性等の観点から８０〜１００ｍｏｌ％が好ましく、９０〜１００ｍｏｌ％が特に好ましい。またポリビニルアルコールの重合度は特に限定されないが、１０００〜１００００が好ましく、１５００〜５０００が特に好ましい。
【００３３】
延伸前のＰＶＡフィルム６の好ましい弾性率は、ヤング率で表して、０．０１ＭＰａ以上５０００ＭＰａ以下、更に好ましくは０．１ＭＰａ以上５００ＭＰａ以下である。弾性率が低すぎると延伸時・延伸後の収縮率が低くなり、シワが消えにくくなり、また高すぎると延伸時にかかる張力が大きくなり、ＰＶＡフィルム６の両側縁部を保持する部分の強度を高くする必要が生じ、テンター装置４に対する負荷が大きくなる。
【００３４】
延伸前のＰＶＡフィルム６の厚味は特に限定されないが、フィルム把持の安定性、延伸の均質性の観点から、１μｍ〜１ｍｍが好ましく、２０〜２００μｍが特に好ましい。
【００３５】
本発明に用いられる染色剤としては、ヨウ素−ヨウ化カリウムで生成したＩ３−、Ｉ５−等の多ヨウ素イオンおよび／または有機二色性色素である。二色性色素の具体例としては、例えばアゾ系色素、スチルベン系色素、ピラゾロン系色素、トリフェニルメタン系色素、キノリン系色素、オキサジン系色素、チアジン系色素、アントラキノン系色素等の色素系化合物を挙げることができる。水溶性のものが好ましいが、この限りではない。また、これらの二色性分子にスルホン酸基、アミノ基、水酸基などの親水性置換基が導入されていることが好ましい。二色性分子の具体例としては、例えばシー．アイ．ダイレクト．イエロー１２、シー．アイ．ダイレクト．オレンジ３９、シー．アイ．ダイレクト．オレンジ７２、シー．アイ．ダイレクト．レッド３９、シー．アイ．ダイレクト．レッド７９、シー．アイ．ダイレクト．レッド８１、シー．アイ．ダイレクト．レッド８３、シー．アイ．ダイレクト．レッド８９、シー．アイ．ダイレクト．バイオレット４８、シー．アイ．ダイレクト．ブルー　６７、シー．アイ．ダイレクト．ブルー９０、シー．アイ．ダイレクト．グリーン５９、シー．アイ．アシッド．レッド３７等が挙げられ、さらに特開昭６２−７０８０２号、特開平１−１６１２０２号、特開平１−１７２９０６号、特開平１−１７２９０７号、特開平１−１８３６０２号、特開平１−２４８１０５号、特開平１−２６５２０５号、特開平７−２６１０２４号の各公報記載の色素等が挙げられる。これらの二色性分子は遊離酸、あるいはアルカリ金属塩、アンモニウム塩、アミン類の塩として用いられる。これらの二色性分子は２種以上を配合することにより、各種の色相を有する偏光子を製造することができる。偏光板として吸収軸を直交させた時に黒色を呈する化合物（色素）や黒色を呈するように各種の二色性分子を配合したものが単板透過率、偏光度とも優れており好ましい。本発明のＰＶＡフィルム延伸機２により延伸されたフィルムに対しては、特にヨウ素−ヨウ化カリウムで生成したＩ３−、Ｉ５−等の多ヨウ素イオンが好ましく使用される。
【００３６】
ヨウ素−ヨウ化カリウムで生成したＩ３−、Ｉ５−等の多ヨウ素イオンを偏光子として使用する場合、ヨウ素は０．１〜２０ｇ／ｌ、ヨウ化カリウムは１〜２００ｇ／ｌ、ヨウ素とヨウ化カリウムの質量比は１〜２００が好ましい。染色時間は１０〜５０００秒が好ましく、液温度は５〜６０℃が好ましい。
【００３７】
硬膜剤（架橋剤）としては、米国再発行特許第２３２８９７号に記載のものが使用できるが、ホウ酸、ホウ砂が実用的に好ましく用いられる。また、亜鉛、コバルト、ジルコニウム、鉄、ニッケル、マンガン等の金属塩も併せて用いることができる。
【００３８】
また、ＰＶＡフィルム６を延伸する速度は、単位時間当りの延伸倍率で表すと、１．１倍／分以上、好ましくは２倍／分以上で、早いほうが好ましい。また、長手方向の進行速度は、０．１ｍ／分以上、好ましくは１ｍ／分以上で、早いほうが生産性の観点から見て好ましい。いずれの場合も、上限は、延伸するＰＶＡフィルム６及びテンター装置４により異なる。
【００３９】
本発明の光学用ポリマーフィルム延伸機２において、ＰＶＡフィルム６の両側縁をクリップ３５により把持する際、把持しやすいようにＰＶＡフィルム６を張った状態にしておくことが好ましい。具体的には、ＰＶＡフィルム６の長手方向に張力をかけてフィルムを張るなどの方法が挙げられる。
【００４０】
延伸時の環境温度は、２５℃以上９０℃以下が好ましく、さらに好ましい温度範囲は４０℃以上９０℃以下である。
【００４１】
延伸時の湿度に関しては、調湿雰囲気下で延伸することが好ましく、より好ましくは５０％以上１００％以下、さらに好ましくは８０％以上１００％以下である。
【００４２】
本発明の光学用ポリマーフィルム延伸機２で得られた偏光膜には、各種機能膜を保護膜として直接片面または両面に貼合することができる。機能膜の例としては、λ／４板、λ／２板などの位相差膜、光拡散膜、偏光板と反対面に導電層を設けたプラスチックセル、異方性散乱や異方性光学干渉機能等をもつ輝度向上膜、反射板、半透過機能を持つ反射板等があげられる。
【００４３】
保護膜としては、上に述べた好ましい保護膜を一枚、または複数枚積層して用いることができる。偏光膜の両面に同じ保護膜を貼合しても良いし、両面に異なる機能、物性をもつ保護膜をそれぞれ貼合しても良い。また、片面のみに上記保護膜を貼合し、反対面には直接液晶セルを貼合するために、粘着剤層を直接設けて保護膜を貼合しないことも可能である。この場合粘着剤の外側には、剥離可能なセパレータフィルムを設けることが好ましい。
【００４４】
本発明を実施したＰＶＡフィルム延伸機２で延伸を行うＰＶＡフィルム６としては、その膜厚が薄いものが多いが、ハンドリング時のＰＶＡフィルム６の裂け等のトラブルを回避するため、ＰＶＡフィルム６を延伸後、少なくとも片面に保護膜を貼り合わせ、後加熱する工程を有することが好ましい。具体的な貼り付け方法として、熱処理工程中、両端を保持した状態で接着剤を用いてＰＶＡフィルム６に保護膜を貼り付け、その後両端を耳きりする、耳きりの方法としては、刃物などのカッターで切る方法、レーザーを用いる方法など、一般的な技術を用いることができる。貼り合わせ直後に、接着剤を乾燥させるため、および偏光性能を良化させるために、加熱することが好ましい。加熱の条件としては、接着剤により異なるが、水系の場合は、３０℃以上が好ましく、さらに好ましくは４０℃以上１００℃以下、さらに好ましくは５０℃以上８０℃以下である。これらの工程は一貫した製造ラインで行われることが、性能上及び生産性を高くする上で好ましい。なお、上記実施形態ではテンター装置４内でＰＶＡフィルム６に保護膜を貼り付け、その後両端を耳きりしたが、ＰＶＡフィルム６がテンター装置４の出口１８から出た後に保護膜を貼り付け、その後両端を耳きりしてもよい。
【００４５】
【発明の効果】
以上説明したように、本発明によれば、シート状物の出口に設けられ、把持具を開放する把持具開放部材と、第１レール及び第２レールによるシート状物の入口の幅と出口の幅とを変更して延伸倍率を変更する延伸倍率変更手段と、この延伸倍率変更手段により延伸倍率を変更させたときに把持具開放部材を第１レール及び第２レールに沿って変位させる開放部材位置調整手段とを備えたから、安定した搬送でシート状物を次の工程に送り出すことができる。
【００４６】
また、開放部材位置調整手段は、シート状物の搬送方向の同位置に配置されるように、把持具開放部材を変位させるから、片側のみ把持具の把持が開放されてしまうことがなくなり、シート状物の幅方向にシワが発生したり、切断されてしまうことがなくなる。さらに、第１レール及び第２レールを直線部と円弧状に湾曲する屈曲部とから構成し、シート状物の側辺に対して配向軸が４５°±５°の角度で傾斜するようにしたから、側辺に対して配向軸を傾斜させたシート状物を任意の延伸倍率及び任意の配向角度で製造することができる。
【図面の簡単な説明】
【図１】本発明を実施したＰＶＡフィルム延伸機の概略を示す平面図である。
【図２】テンター装置の概略を示す機能ブロックを含む平面図である。
【図３】クリップの把持開始直前の状態を示す側面図である。
【図４】クリップの把持開始直後の状態を示す側面図である。
【図５】開放部材とクリップとを示す平面図である。
【図６】左右のレールと出口部開放部材との変位前と変位後の状態を示す平面図である。
【図７】出口部開放部材の変位前と変位後の状態を示す平面図である。
【符号の説明】
２　ＰＶＡフィルム延伸機
３　表面処理装置
４　テンター装置
６　ＰＶＡフィルム
１１，１２　レール
１５　クリップ
２１〜２８　位置決め部
４３　レール取付部
５１，５２　入口部開放部材
５１ａ，５２ａ　テーパ部
５１ｂ，５２ｂ　開放部
５３，５４　出口部開放部材
５３ａ，５４ａ　テーパ部
５３ｂ，５４ｂ　開放部
６０　取付ブロック
６１　リードネジ棒
６２　位置決めモータ
６５　コントローラ
６６　データ入力部
６７　メモリ
６８　シフト部
【図１】
2004106423.tif 000003
【図２】
2004106423.tif 000004
【図３】
2004106423.tif 000005
【図４】
2004106423.tif 000006
【図５】
2004106423.tif 000007
【図６】
2004106423.tif 000008
【図７】
2004106423.tif 000009